(57)【特許請求の範囲】
【請求項１】
７つのセグメントを日の字形に配列することにより、それぞれ略垂直なセグメントであって、左上に位置する第１のセグメント（２１）および右上に位置する第３のセグメント（２３）と、右下に位置する第４のセグメント（２４）および左下に位置する第６のセグメント（２６）と、それぞれ略水平なセグメントであって、前記第１、第３のセグメント（２１，２３）の上端間に位置する第２のセグメント（２２）と、前記第４、第６のセグメント（２４，２６）の下端間に位置する第５のセグメント（２５）と、前記第１、第３のセグメント（２１，２３）の下端間であって前記第４、第６のセグメント（２４，２６）の上端間に位置する第７のセグメント（２７）とからなる表示部を備え、前記第１〜第７のセグメント（２１〜２７）を選択的に点灯することにより数字を選択的に表示する表示装置において、
前記第６のセグメント（２６）をその長手方向に分割された上側分割セグメント（２６Ａ）と下側分割セグメント（２６Ｂ）とで構成して、上側分割セグメント（２６Ａ）の下辺（２６Ａｅ）と下側分割セグメント（２６Ｂ）の上辺（２６Ｂｆ）を右上がりに傾斜した互いに近接して対向する斜面に形成し、
前記第７のセグメント（２７）をその長手方向に分割された左側分割セグメント（２７Ａ）と右側分割セグメント（２７Ｂ）とで構成して、その分割辺を左下がりに傾斜した斜面に形成し、
前記第６のセグメント（２６）と前記第７のセグメント（２７）とによって形成されるコーナー部に第８のセグメント（２８）を偏在させて設け、この第８のセグメント（２８）を、略直角三角形に形成することにより略垂直な左辺（２８ｆ）と、水平な上辺（２８ｃ）と、右上がりに傾斜した斜辺（２８ｅ）とで構成し、前記左辺（２８ｆ）が前記下側分割セグメント（２６Ｂ）の内側辺（２６Ｂｄ）と略等しい長さを有し、前記上辺（２８ｃ）が前記右側分割セグメント（２７Ｂ）の下辺（２７Ｂｅ）と略等しい長さを有し、
前記第２のセグメント（２２）、前記第３のセグメント（２３）、前記右側分割セグメント（２７Ｂ）、前記第８のセグメント（２８）、前記下側分割セグメント（２６Ｂ）および前記第５のセグメント（２５）によって数字の「２」を表示することを特徴とする表示装置。
【請求項２】
７つのセグメントを日の字形に配列することにより、それぞれ略垂直なセグメントであって、左上に位置する第１のセグメント（２１）および右上に位置する第３のセグメント（２３）と、右下に位置する第４のセグメント（２４）および左下に位置する第６のセグメント（２６）と、それぞれ略水平なセグメントであって、前記第１、第３のセグメント（２１，２３）の上端間に位置する第２のセグメント（２２）と、前記第４、第６のセグメント（２４，２６）の下端間に位置する第５のセグメント（２５）と、前記第１、第３のセグメント（２１，２３）の下端間であって前記第４、第６のセグメント（２４，２６）の上端間に位置する第７のセグメント（２７）とからなる表示部を備え、前記第１〜第７のセグメント（２１〜２７）を選択的に点灯することにより数字を選択的に表示する表示装置において、
前記第６のセグメント（２６）をその長手方向に分割された上側分割セグメント（２６Ａ）と下側分割セグメント（２６Ｂ）とで構成して、上側分割セグメント（２６Ａ）の下辺（２６Ａｅ）を左下がりに傾斜した緩やかな凹曲面に形成し、前記下側分割セグメント（２６Ｂ）の斜辺（２６Ｂｆ）を前記下辺（２６Ａｅ）と略同一の曲率で外側に凸状に湾曲する曲面に形成し、
前記第７のセグメント（２７）をその長手方向に分割された左側分割セグメント（２７Ａ）と右側分割セグメント（２７Ｂ）とで構成して、その分割辺を左下がりに傾斜した斜面に形成し、前記右側分割セグメント（２７Ｂ）の前記第４のセグメント（２４）の上辺と対向する辺（２７Ｂａ）を緩やかな曲率で凸状に湾曲する曲面に形成し、
前記第６のセグメント（２６）と前記第７のセグメント（２７）とによって形成されるコーナー部に第８のセグメント（２８）を偏在させて設けてなり、この第８のセグメント（２８）は、緩やかな曲線で上方に凸状に湾曲して形成されて、左辺（２８ｆ）が略垂直で前記下側分割セグメント（２６Ｂ）の内側辺（２６Ｂｄ）と略同一長さで平行に近接して対向し、上辺が水平で前記右側分割セグメント（２７Ｂ）の下辺と略同一長さで平行に近接して対向し、前記下側分割セグメント（２６Ｂ）および前記右側分割セグメント（２７Ｂ）とともに連続して湾曲した同一曲線を形成していることを特徴とする表示装置。
【請求項３】
請求項１または２記載の表示装置において、
第１のセグメント（２１）と第２のセグメント（２２）、第２のセグメント（２２）と第３のセグメント（２３）、第３のセグメント（２３）と第４のセグメント（２４）、第４のセグメント（２４）と第５のセグメント（２５）、第５のセグメント（２５）と第６のセグメント（２６）および第１のセグメント（２１）と第６のセグメント（２６）の互いに近接して対向する端部のうちの少なくともいずれか一方の端部外側面をそれぞれ外側に凸状に湾曲した曲面に形成したことを特徴とする表示装置。
【請求項４】
請求項１〜３のうちのいずれか１つに記載の表示装置において、
第１〜第６のセグメント（２１〜２６）の外側辺を凸面に形成したことを特徴とする表示装置。
【発明の詳細な説明】
【０００１】
【発明の属する技術分野】
本発明は、電子時計、卓上計算機等に用いられる表示装置に関し、特に表示部を形成するセグメント群によって「０」から「９」の「算用数字」、「アラビア数字」を表示する表示装置に関する。
【０００２】
【従来の技術】
従来、電子時計、卓上計算機等においては、複数個のセグメントからなるセグメント群によって数字の「０」〜「９」を表示する表示部を備えている。セグメント群は、図９に示すように通常７個のセグメント１〜７で構成され、漢字の「日」の字形に配列されているが（先行技術１）、最近では実開昭５０−９１４７１号公報（以下、先行技術２という）、実開昭５５−９１５７４号公報（以下、先行技術３という）、特開昭５３−２３５９６号公報（以下、先行技術４という）等に記載されているように７個以上のセグメントを用いたものも提案されている。
【０００３】
先行技術２に記載されている表示装置は、図１０に示すように「日」の字形に配列された７個のセグメント（イ），（ロ），（ニ），（ホ），（ト），（リ），（チ）に加えて、２個のセグメント（ハ），（ヘ）を加えたものである。セグメント（ハ），（ヘ）は、「日」の字形の上側と下側の平行四辺形の内部にそれぞれ右上がりに傾斜して対角線方向に配置されている。なお、図においては斜線を施した４個のセグメント（イ），（ロ），（ヘ），（リ）によって数字の「２」を表示している。
【０００４】
先行技術３に記載されている表示装置は、図１１に示すように３つのセグメント群Ａ，Ｂ，Ｃによって世界の主要都市、曜日をコード化した３文字のローマ字で表示するようにしたもので、左側のセグメント群Ａをセグメント１０１〜１１５で構成し、中央のセグメント群Ｂをセグメント２０１〜２１２で構成し、右側のセグメント群Ｃをセグメント３０１〜３１３で構成している。なお、図においては斜線を施したセグメント１０１，１０５，１０６，１１１，２０５，２０９，２１１，３０１，３０２，３０３，３０４，３０５，３０６によってローマ字の「ＴＹＯ（東京）」を表示している。
【０００５】
先行技術４に記載されている表示装置は、図１２に示すようにセグメント群を８個のセグメント１〜８で構成している。また、セグメント２，３，４，６を略円形状の曲線で湾曲させると共に、セグメント１の上辺、セグメント３の右辺、セグメント５の左辺およびセグメント７の右端を上方に屈曲させ、セグメント８の右端を三角形に形成することにより、数字に丸みをもたせている。なお、図においては斜線を施したセグメント２，３，５，８によって数字の「４」を表示している。
【０００６】
【発明が解決しようとする課題】
しかしながら、上記した従来の表示装置にあっては、いずれも以下に述べるような問題があった。
図９に示す表示装置においては、各セグメント１〜７が直線を基調としているため、全体的に角張って無機的ないし機械的で画一的な表示となり、親しみ易さに欠けるという問題があった。特に、数字の「２」は水平と垂直な５個のセグメント２，３，５，６，７による折れ線で表示されるため優美さに欠ける。
【０００７】
図１０および図１１に示す表示装置においては、図９に示した表示装置と同様に各セグメントが直線を基調としているため、無機的ないし機械的な印象を与え、親しみ易さに欠けるという問題があった。特に、図１０に示す表示装置においては、２個のセグメント（ハ），（ヘ）が上側と下側の平行四辺形の内部に対角線上に位置するように右上がりに傾斜してそれぞれ配置されることにより、各平行四辺形を斜めに２等分しているので、数字の「２」において、３つのセグメント（イ），（ロ），（ヘ）によって囲まれた空間が２つのセグメント（ヘ）と（リ）との間の空間より大きくなりすぎて違和感が大きいという問題があった。
【０００８】
図１２に示す表示装置は、各セグメントが曲線を基調としているため、表示に優美さはあるものの、特に数字の「０」は下側の３個のセグメント４，６，７によって表示されるため、他の数字「１」〜「９」に較べて略半分の大きさになるという問題があった。また、２個のセグメント３，５は同一直線上に配置されておらず、セグメント５がセグメント３に対して幅分だけ左側にずれているため、数字の「１」、「２」、「４」、「６」、「７」、「９」の表示においては連続性に欠けるという問題もあった。そのため、イメージとしては筆記体に近く、汎用的な製品の表示装置としては個性的すぎて利用範囲が限られてしまう。
【０００９】
本発明は上記した従来の問題を解決するためになされたもので、その目的とするところは、数字の「２」の表示が「算用数字」、「アラビア数字」の書体に近く視認性、親しみ易さおよび優美さを向上させるようにした表示装置を提供することにある。
また、本発明は、表示部のセグメント群によって表示される数字「０」〜「９」が丸みを帯びた「算用数字」、「アラビア数字」の書体に近く視認性、親しみ易さおよび優美さを向上させるようにした表示装置を提供することにある。
【００１０】
【課題を解決するための手段】
上記目的を達成するために第１の発明は、７つのセグメントを日の字形に配列することにより、それぞれ略垂直なセグメントであって、左上に位置する第１のセグメント（２１）および右上に位置する第３のセグメント（２３）と、右下に位置する第４のセグメント（２４）および左下に位置する第６のセグメント（２６）と、それぞれ略水平なセグメントであって、前記第１、第３のセグメント（２１，２３）の上端間に位置する第２のセグメント（２２）と、前記第４、第６のセグメント（２４，２６）の下端間に位置する第５のセグメント（２５）と、前記第１、第３のセグメント（２１，２３）の下端間であって前記第４、第６のセグメント（２４，２６）の上端間に位置する第７のセグメント（２７）とからなる表示部を備え、前記第１〜第７のセグメント（２１〜２７）を選択的に点灯することにより数字を選択的に表示する表示装置において、前記第６のセグメント（２６）をその長手方向に分割された上側分割セグメント（２６Ａ）と下側分割セグメント（２６Ｂ）とで構成して、上側分割セグメント（２６Ａ）の下辺（２６Ａｅ）と下側分割セグメント（２６Ｂ）の上辺（２６Ｂｆ）を右上がりに傾斜した互いに近接して対向する斜面に形成し、前記第７のセグメント（２７）をその長手方向に分割された左側分割セグメント（２７Ａ）と右側分割セグメント（２７Ｂ）とで構成して、その分割辺を左下がりに傾斜した斜面に形成し、前記第６のセグメント（２６）と前記第７のセグメント（２７）とによって形成されるコーナー部に第８のセグメント（２８）を偏在させて設け、この第８のセグメント（２８）を、略直角三角形に形成することにより略垂直な左辺（２８ｆ）と、水平な上辺（２８ｃ）と、右上がりに傾斜した斜辺（２８ｅ）とで構成し、前記左辺（２８ｆ）が前記下側分割セグメント（２６Ｂ）の内側辺（２６Ｂｄ）と略等しい長さを有し、前記上辺（２８ｃ）が前記右側分割セグメント（２７Ｂ）の下辺（２７Ｂｅ）と略等しい長さを有し、前記第２のセグメント（２２）、前記第３のセグメント（２３）、前記右側分割セグメント（２７Ｂ）、前記第８のセグメント（２８）、前記下側分割セグメント（２６Ｂ）および前記第５のセグメント（２５）によって数字の「２」を表示することを特徴とする。
【００１１】
第２の発明は、７つのセグメントを日の字形に配列することにより、それぞれ略垂直なセグメントであって、左上に位置する第１のセグメント（２１）および右上に位置する第３のセグメント（２３）と、右下に位置する第４のセグメント（２４）および左下に位置する第６のセグメント（２６）と、それぞれ略水平なセグメントであって、前記第１、第３のセグメント（２１，２３）の上端間に位置する第２のセグメント（２２）と、前記第４、第６のセグメント（２４，２６）の下端間に位置する第５のセグメント（２５）と、前記第１、第３のセグメント（２１，２３）の下端間であって前記第４、第６のセグメント（２４，２６）の上端間に位置する第７のセグメント（２７）とからなる表示部を備え、前記第１〜第７のセグメント（２１〜２７）を選択的に点灯することにより数字を選択的に表示する表示装置において、前記第６のセグメント（２６）をその長手方向に分割された上側分割セグメント（２６Ａ）と下側分割セグメント（２６Ｂ）とで構成して、上側分割セグメント（２６Ａ）の下辺（２６Ａｅ）を左下がりに傾斜した緩やかな凹曲面に形成し、前記下側分割セグメント（２６Ｂ）の斜辺（２６Ｂｆ）を前記下辺（２６Ａｅ）と略同一の曲率で外側に凸状に湾曲する曲面に形成し、前記第７のセグメント（２７）をその長手方向に分割された左側分割セグメント２７Ａと右側分割セグメント（２７Ｂ）とで構成して、その分割辺を左下がりに傾斜した斜面に形成し、前記右側分割セグメント（２７Ｂ）の前記第４のセグメント（２４）の上辺と対向する辺（２７Ｂａ）を緩やかな曲率で凸状に湾曲する曲面に形成し、前記第６のセグメント（２６）と前記第７のセグメント（２７）とによって形成されるコーナー部に第８のセグメント（２８）を偏在させて設けてなり、この第８のセグメント（２８）は、緩やかな曲線で上方に凸状に湾曲して形成されて、左辺（２８ｆ）が略垂直で前記下側分割セグメント（２６Ｂ）の内側辺（２６Ｂｄ）と略同一長さで平行に近接して対向し、上辺が水平で前記右側分割セグメント（２７Ｂ）の下辺と略同一長さで平行に近接して対向し、前記下側分割セグメント（２６Ｂ）および前記右側分割セグメント（２７Ｂ）とともに連続して湾曲した同一曲線を形成していることを特徴とする。
【００１２】
第３の発明は、上記第１または第２の発明において、第１のセグメント（２１）と第２のセグメント（２２）、第２のセグメント（２２）と第３のセグメント（２３）、第３のセグメント（２３）と第４のセグメント（２４）、第４のセグメント（２４）と第５のセグメント（２５）、第５のセグメント（２５）と第６のセグメント（２６）および第１のセグメント（２１）と第６のセグメント（２６）の互いに近接して対向する端部のうちの少なくともいずれか一方の端部外側面をそれぞれ外側に凸状に湾曲した曲面に形成したことを特徴とする。
【００１３】
第４の発明は、上記第１〜第３の発明のうちのいずれか１つにおいて、第１〜第６のセグメント（２１〜２６）の外側辺が凸面に形成されていることを特徴とする。
【００１５】
第１および第２の発明において、第８のセグメントは、第６のセグメントと第７のセグメントとのコーナー部に偏在して設けられているので、第２、第３のセグメント、第７のセグメントの右側分割セグメント、第８のセグメント、第６のセグメントの下側分割セグメントおよび第５のセグメントによって数字の「２」を表示すると、算用数字に近い書体となり、違和感が少ない。
【００１７】
第３の発明においては、セグメントどうしの互いに対向する端部のうち少なくともいずれか一方の端部外側辺が外側に凸状に湾曲した曲面に形成されているので、全体として「算用数字」、「アラビア数字」の書体に近い丸みを帯びた書体となる。
【００１８】
第４の発明においては、第１〜第６のセグメントの外側辺が凸面に形成されているので、細い直線状のセグメントに較べて書体に柔らかさが増し、違和感が少ない。
【００１９】
【発明の実施の形態】
以下、本発明を図面に示す実施の形態に基づいて説明する。
図１は本発明に係る表示装置の一実施の形態を示す表示部の平面図である。同図において、数字の「０」から「９」をデジタル表示するセグメント群ＳＧは、「日」の字形に配列された第１〜第７のセグメント２１〜２７と、第８のセグメント２８とからなり、このセグメント群ＳＧを表示目的に応じて所要個数並設することにより表示装置の表示部を形成している。ただし、図１においては１つのセグメント群ＳＧのみを示している。
【００２０】
前記第１〜第７のセグメント２１〜２７は、直線を基調としたセグメントで構成されている。また、第６のセグメント２６は長さ方向に２つに分割して形成されることにより、上側分割セグメント２６Ａと下側分割セグメント２６Ｂとで構成されている。さらに、第７のセグメント２７は長さ方向に２つに分割して形成されることにより、左側分割セグメント２７Ａと右側分割セグメント２７Ｂとで構成されている。したがって、１つのセグメント群ＳＧは、合計１０個のセグメントで構成されている。
【００２１】
第１、第３、第４、第６のセグメント２１，２３，２４，２６は、直線を基調として略垂直に近いが僅かに右に傾斜して配置されている。第２、第５、第７のセグメント２２，２５，２７は、同じく直線を基調として水平に配置されている。ただし、直線を基調としているとはいえ、第１〜第６のセグメント２１〜２６の外側辺２１ｃ〜２６ｃを１本の完全な直線ではなく、折れ線によって外側に凸となるように形成し、幅を端部において細く、中央において太くしている。このように外側辺２１ｃ〜２６ｃを凸面に形成すると、第１〜第８のセグメント２１〜２８によって数字の「０」〜「９」を表示したとき、細い直線状のセグメントに較べて角部が丸みを帯びるため書体に柔らかさを増大させることができる。
【００２２】
第１のセグメント２１と第３のセグメント２３の下端は三角形（Ｖ字状）で、第４のセグメント２４の上端は逆Ｖ字状に形成されている。第１のセグメント２１の上辺２１ｆは水平に形成されて、第２のセグメント２２の左端部下面２２ｅと近接して平行に対向している。第２のセグメント２２の右辺２２ｈは、略垂直に近い右上がりに傾斜した斜面に形成され、第３のセグメント２３の上辺２３ｆと近接して平行に対向している。
【００２３】
第６のセグメント６の上側分割セグメント２６Ａの上端は、第１のセグメント２１の下端と略対称な三角形に形成され、下辺２６Ａｅが右上がりに傾斜した斜面に形成されている。
【００２４】
第６のセグメント２６の下側分割セグメント２６Ｂは、略直角三角形に形成されることにより、内側辺２６Ｂｄと下辺２６Ｂｅが略直交し、斜辺２６Ｂｆが前記上側分割セグメント２６Ａの下辺２６Ａｅと略平行に近接して対向している。
【００２５】
前記第７のセグメント２７の左側分割セグメント２７Ａと右側分割セグメント２７Ｂは、略同一形状で点対象に配置されている。左側分割セグメント２７Ａは、左端側が三角形で、右端側がエッジ状に形成されることにより下辺側が左下がりに傾斜した斜面に形成されている。右側分割セグメント２７Ｂは、左端側がエッジ状に形成されて左側分割セグメント２７Ａの下方空間に延在し、右端部が三角形に形成されている。
【００２６】
前記第８のセグメント２８は、略直角三角形に形成されることにより、略垂直な左辺２８ｆと、水平な上辺２８ｃと、右上がりに傾斜した斜辺２８ｅを備えている。左辺２８ｆは、前記下側分割セグメント２６Ｂの内側辺２６Ｂｄと略等しい長さを有し、上辺２８ｃは前記右側分割セグメント２７Ｂの下辺２７Ｂｅと略等しい長さを有している。そして、この第８のセグメント２８は、第４、第５、第６、第７のセグメント２４，２５，２６，２７によって形成される平行四辺形の右上角部と左下角部を結ぶ対角線より上方で、かつ第６のセグメント２６と第７のセグメント２７とのコーナー部に偏在するように設けられている。なお、図１においては斜線を施した第２のセグメント２２、第３のセグメント２３、第７のセグメント２７の右側分割セグメント２７Ｂ、第８のセグメント２８、第６のセグメント２６の下側分割セグメント２６Ｂおよび第５のセグメント２５によって数字の「２」を表示している。
【００２７】
このような構成からなる表示装置のセグメント群ＳＧにあっては、第８のセグメント２８を第６のセグメント２６と第７のセグメント２７とのコーナー部に偏在させて設けているので、数字の「２」の表示において、図１０に示した従来の表示部に較べて違和感が少なく、より自然な書体にすることができる。
また、第１〜第６のセグメント２１〜２６の外側辺２１ｃ〜２６ｃを凸状に形成しているので、細い直線状のセグメントに較べて角張った部分がなく、無機的、機械的な印象を軽減することができる。したがって、書体の柔らかさが増大し違和感を少なくすることができる。
さらに、「日」の字形に配置された第１〜第７のセグメント２１〜２７を基調としているので、従来の「日」の字形のセグメント表示と違和感もない。
【００２８】
図２は表示装置の参考例を示す表示部の平面図である。なお、上記した実施の形態で示した構成部材と同一のものについては同一符号をもって示し、その説明を適宜省略する。図２において、数字の「０」から「９」をデジタル表示する表示装置の表示部４０は、「日」の字形に配列された第１〜第７のセグメント２１〜２７と、略三角形の第８、第９のセグメント２８，２９とからなるセグメント群ＳＧを備えている。また、第３のセグメント２３は長さ方向に２つに分割して形成されることにより、上側分割セグメント２３Ａと下側分割セグメント２３Ｂとで構成されている。同じく第６のセグメント２６は長さ方向に２つに分割して形成されることにより、上側分割セグメント２６Ａと下側分割セグメント２６Ｂとで構成されている。さらに、第７のセグメント２７は長さ方向に３つに分割して形成されることにより、左側分割セグメント２７Ａ、右側分割セグメント２７Ｂおよび中央側分割セグメント２７Ｃとで構成されている。したがって、１つのセグメント群ＳＧは、合計１３個のセグメントで構成されている。
【００２９】
第１、第２、第４、第５、第６のセグメント２１，２２，２４，２５，２６は、図１に示した対応するセグメントと全く同一に形成されているため、その詳細については説明を省略する。
【００３０】
前記第３のセグメント２３は、上側分割セグメント２３Ａと下側分割セグメント２３Ｂとで構成されているが、全体形状としては上記した実施の形態と同一である。上側分割セグメント２３Ａは、内側辺２３Ａｄが略直線で、上辺２３Ａｆが右上がりに傾斜して第２のセグメント２２の右辺２２ｈに平行に近接して対向し、外側面２３Ａｃが折れ線によって外側に凸となるように略Ｖ字状に形成されている。前記下側分割セグメント２３Ｂは略三角形に形成され、上辺２３Ｂｆが左下がりに傾斜した斜面に形成されている。この斜面は折れ線によって形成され、前記上側分割セグメント２３Ｂの下辺２３Ａｅと近接して平行に対向している。
【００３１】
前記第７のセグメント２７の左側分割セグメント２７Ａは、左端側が三角形で、右端側がエッジ状に形成されることにより下辺側が左下がりに傾斜した斜面に形成されている。
【００３２】
第７のセグメント２７の右側分割セグメント２７Ｂは、前記左側分割セグメント２７Ａと略同一形状で点対称に配置されることにより、左端側がエッジ状に形成され、右端側が三角形に形成されている。
【００３３】
第７のセグメント２７の中央側分割セグメント２７Ｃは、菱形に形成されている。
【００３４】
前記第８のセグメント２８は略直角二等辺三角形に形成され、前記第６のセグメント２６の下側分割セグメント２６Ｂと前記第７のセグメント２７の中央側分割セグメント２７Ｃとによって囲まれたコーナー部に偏在して配置されることにより、左辺２８ｆが前記下側分割セグメント２６Ｂの内側辺２６Ｂｄに近接して対向し、上辺２８ｃが前記中央側分割セグメント２７Ｃの下辺２７Ｃｅに近接して対向し、右上がりに傾斜した斜辺２８ｅが前記中央側分割セグメント２７Ｃの右辺２７Ｃｈと略同一角度で傾斜し同一面を形成している。
【００３５】
前記第９のセグメント２９は、第８のセグメント２８と略同一形状で点対称になるように、前記第３のセグメント２３の上側分割セグメント２３Ａと前記第７のセグメント２７の中央側分割セグメント２７Ｃとによって囲まれたコーナー部に偏在して配置されることにより、右辺２９ｈが前記上側分割セグメント２３Ａの内側辺２３Ａｄに近接して対向し、下辺２９ｅが前記中央側分割セグメント２７Ｃの上辺に近接して対向し、左下がりに傾斜した斜辺２９ｆが前記中央側分割セグメント２７Ｃの左側面２７Ｃｆと略同一角度で同一面を形成している。このため、中央分割セグメント２７Ｃ、第８のセグメント２８および第９のセグメント２９は、連続して傾斜した一本の線を形成している。なお、図２においては斜線を施した第２のセグメント２２、第３のセグメント２３の上側分割セグメント２３Ａ、第９のセグメント２９、第７のセグメント２７の中央側分割セグメント２７Ｃ、第８のセグメント２８、第６のセグメント２６の下側分割セグメント２６Ｂおよび第５のセグメント２５によって数字の「２」を表示している。
【００３６】
このような構成からなる表示装置のセグメント群ＳＧにあっては、第８のセグメント２８を第６のセグメント２６と第７のセグメント２７とのコーナー部に偏在させて設け、第９のセグメント２９を第３のセグメント２３と第７のセグメント２７とのコーナー部に偏在させて設けているので、数字の「２」の表示において、上記した実施の形態と同様に違和感が少なく、より自然な書体とすることができる。
また、第１〜第６のセグメント２１〜２６の外側辺を凸状に形成しているので、細い直線状のセグメントに較べて角張った部分がなく、無機的、機械的な印象を軽減することができる。したがって、書体の柔らかさが増大し違和感を少なくすることができる。
さらに、「日」の字形に配置された第１〜第７のセグメント２１〜２７を基調としているので、従来の「日」の字形のセグメント表示と違和感もない。
【００３７】
図３は本発明に係る表示装置の他の実施の形態を示す表示部の平面図、図４は数字の「１」〜「０」を表示した例を示す図、図５は温度と時刻を表示した例を示す図である。これらの図において、数字の「０」から「９」をデジタル表示するセグメント群ＳＧは、「日」の字形に配列された第１〜第７のセグメント２１〜２７と、右上がりに傾斜した第８のセグメント２８とからなり、このセグメント群ＳＧを表示目的に応じて所要個数並設することにより表示装置の表示部２０を形成している。ただし、図においては１つのセグメント群ＳＧのみを示している。また、第６のセグメント２６は長さ方向に２つに分割して形成されることにより、上側分割セグメント２６Ａと下側分割セグメント２６Ｂとで構成されている。さらに、第７のセグメント２７は長さ方向に２つに分割して形成されることにより、左側分割セグメント２７Ａと右側分割セグメント２７Ｂとで構成されている。したがって、１つのセグメント群ＳＧは、合計１０個のセグメントで構成されている。
【００３８】
第１、第３、第４、第６のセグメント２１，２３，２４，２６は、直線を基調として略垂直に近いが僅かに右に傾斜して配置されている。第２、第５、第７のセグメント２２，２５，２７は、同じく直線を基調として水平に配置されている。ただし、直線を基調としているとはいえ、第１〜第８のセグメント２１〜２８によって数字の「１」〜「０」を表示したとき、角部となる部分に丸みをもたせるため、第１のセグメント２１の下端部外側面２１ａ、第２のセグメント２２の左端部外側面２２ａ、第３のセグメント２３の上端部および下端部の外側面２３ａ，２３ｂ、第４のセグメント２４の上端部および下端部の外側面２４ａ，２４ｂ、第５のセグメント２５の左端部外側面２５ａ、および第６のセグメント２６の上端部外側面２６ａを外側に凸状に湾曲した曲面に形成している。
【００３９】
さらに、第１〜第６のセグメント２１，２２，２３，２４，２５，２６の外側辺２１ｃ，２２ｃ，２３ｃ，２４ｃ，２５ｃ，２６ｃ（２６Ａｃ，２６ｂｃ）は、完全な直線ではなくそれぞれ僅かではあるが緩やかな曲線で外側に凸状に湾曲し、内側辺２１ｄ，２２ｄ，２３ｄ，２４ｄ，２５ｄ，２６ｄはそれぞれ直線状または曲線状に形成されている。セグメント幅が狭い場合、内側辺２１ｄ〜２６ｄを直線状に形成すると線幅が一定に見えなくなる。このような場合は内側辺２１ｄ〜２６ｄを外側辺２１ｃ〜２６ｃに対応して曲線状に形成すればよい。
【００４０】
前記第６のセグメント６の上側分割セグメント２６Ａの上端は三角形で、外側の斜辺２６ａが上記した通り外側に凸状に湾曲した曲面に形成されている。上側分割セグメント２６Ａの下辺２６Ａｅは、左下がりに傾斜した緩やかな凹曲面に形成されている。
【００４１】
第６のセグメント２６の下側分割セグメント２６Ｂは、略直角三角形に形成されることにより、内側辺２６Ｂｄと下辺２６Ｂｅが略直交し、斜辺２６Ｂｆが前記上側分割セグメント２６Ａの下辺２６Ａｅと略同一の曲率で外側に凸状に湾曲した曲面に形成されている。
【００４２】
前記第７のセグメント２７の上下辺２７ｃ，２７ｄは直線状に形成されている。第７のセグメント２７の左側分割セグメント２７Ａは、左端側が三角形で、右端側がエッジ状に形成されることにより右辺が左下がりに傾斜した斜面に形成されている。この斜面は、上端部側が緩やかな曲率で凸状に湾曲し、下端部側が緩やかな曲率で凹状に湾曲している。第７のセグメント２７の右側分割セグメント２７Ｂは、左端側が長く右端側が短い左右非対称な略菱形に形成されている。また、右側分割セグメント２７Ｂの第４セグメント２４の上辺と対向する辺２７Ｂａは、緩やかな曲率で凸状に湾曲している。
【００４３】
前記第８のセグメント２８は、緩やかな曲線で上方に凸状に湾曲して形成され、左辺２８ｆが略垂直で前記第６のセグメント２６の下側分割セグメント２６Ｂの内側辺２６Ｂｄと略同一長さで平行に近接して対向し、上辺が水平で前記第７セグメント２７の右側分割セグメント２７Ｂの下辺と略同一長さで平行に近接して対向している。そして、この第８のセグメント２８は、第４、第５、第６、第７のセグメント２４，２５，２６，２７によって形成される平行四辺形の右上角部と左下角部を結ぶ対角線より上方に変位して位置し、前記下側分割セグメント２６Ｂおよび右側分割セグメント２７Ｂと共に連続して湾曲した同一曲線を形成している。
【００４４】
このような構成からなる表示装置のセグメント群ＳＧにあっては、第１のセグメント２１の下端部外側面２１ａ、第２のセグメント２２の左端部外側面２２ａ、第３のセグメント２３の上端部および下端部の外側面２３ａ，２３ｂ、第４のセグメント２４の上端部および下端部の外側面２４ａ，２４ｂ、第５のセグメント２５の左端部外側面２５ａ、および第６のセグメント２６の上端部外側面２６ａを外側に凸状に湾曲した曲面に形成しているので、図４に示すように数字の「２」から「０」までを表示したときに、その角部となる部分に丸みをもたせることができる。また、第１、第２、第３、第４、第５のセグメント２１，２２，２３，２４，２５の外側辺２１ｃ，２２ｃ，２３ｃ，２４ｃ，２５ｃおよび第６のセグメント６の上側、下側分割セグメント２６Ａ，２６Ｂの外側辺２６Ａｃ，２６Ｂｃをそれぞれ緩やかな曲線で外側に凸状に湾曲させているので、全体として丸みをもたせることができる。したがって、角張った部分がなく、無機的、機械的な印象を軽減することができる。特に、数字の「２」は、第２、第３のセグメント２２，２３、第７のセグメント２７の右側分割セグメント２７Ｂ、第８のセグメント２８、第６のセグメント２６の下側分割セグメント２６Ｂおよび第５のセグメント２５によって表示されるため、「算用数字」、「アラビア数字」の書体に近い優美さを感じさせる表示とすることができる。
さらに、「日」の字形に配置された第１〜第７のセグメント２１〜２７を基調としているので、従来の「日」の字形のセグメント表示と違和感もない。
【００４５】
さらに、本発明においては、第１のセグメント２１の上辺２１ｆ、第２のセグメント２２の左端側下面２２ｅ、第５のセグメント２５の上辺２５ｆ、第６のセグメント２６の下側分割セグメント２６Ｂの下辺２６Ｂｅをそれぞれ水平面に形成しているので、数字の「２」、「３」、「４」、「５」、「７」、「９」の書き始めおよび／もしくは書き終わりの見栄えが良好である。また、第２のセグメント２２の右辺２２ｈと第３のセグメント２３の上辺２３ｆを右上がりに傾斜した斜面に形成し、第４のセグメント２４の下辺２４ｅと第５のセグメント２５の右辺２５ｈを右下がりに傾斜した斜面に形成しているので、数字の「１」、「７」を綺麗に表示することができる。
【００４６】
図６は表示装置の他の参考例を示す表示部の平面図、図７は数字の「１」〜「０」を表示した例を示す図、図８は温度と時刻を表示した例を示す図である。なお、上記した実施の形態で示した構成部材と同一のものについては同一符号をもって示し、その説明を適宜省略する。これらの図において、数字の「０」から「９」をデジタル表示する表示装置の表示部４０は、「日」の字形に配列された第１〜第７のセグメント２１〜２７と、右上がりに傾斜した第８、第９のセグメント２８，２９とからなるセグメント群ＳＧを備えている。また、第３のセグメント２３は長さ方向に２つに分割して形成されることにより、上側分割セグメント２３Ａと下側分割セグメント２３Ｂとで構成されている。同じく第６のセグメント２６は長さ方向に２つに分割して形成されることにより、上側分割セグメント２６Ａと下側分割セグメント２６Ｂとで構成されている。さらに、第７のセグメント２７は長さ方向に３つに分割して形成されることにより、左側分割セグメント２７Ａ、右側分割セグメント２７Ｂおよび中央側分割セグメント２７Ｃとで構成されている。したがって、１つのセグメント群ＳＧは、合計１３個のセグメントで構成されている。
【００４７】
第１、第２、第４、第５、第６のセグメント２１，２２，２４，２５，２６は、図１に示した対応するセグメントと全く同一に形成されているため、その詳細については説明を省略する。
【００４８】
前記第３のセグメント２３は、上側分割セグメント２３Ａと下側分割セグメント２３Ｂとで構成されているが、全体形状としては上記した実施の形態と同一である。上側分割セグメント２３Ａは、内側辺２３Ａｄが略直線で、上辺２３Ａｆが右上がりに傾斜して第２のセグメント２２の右辺２２ｈに平行に近接して対向し、下辺２３Ａｅが左下がりに傾斜した斜面に形成されている。この斜面は緩やかに凸状に湾曲している。そして、外側辺２３Ａｃは、外側に凸となるよう円弧状に湾曲している。前記下側分割セグメント２３Ｂは、略三角形に形成され、上辺２３Ｂｆが左下がりに傾斜した斜面に形成されている。この斜面は緩やかに凹状に湾曲し、前記上側分割セグメント２３Ａの下辺２３Ａｅと近接して対向している。
【００４９】
前記第７のセグメント２７の左側分割セグメント２７Ａは、左端側が三角形で、右端側がエッジ状に形成されることにより右辺が左下がりに傾斜した斜面に形成されている。
【００５０】
第７のセグメント２７の右側分割セグメント２７Ｂは、前記左側分割セグメント２７Ａと略同一形状で点対称に配置されることにより、左端側がエッジ状で左下がりに傾斜した斜面に形成され、右端側が三角形に形成されている。
【００５１】
第７のセグメント２７の中央側分割セグメント２７Ｃは、菱形に形成されている。
【００５２】
前記第８のセグメント２８は略直角二等辺三角形に形成され、前記第６のセグメント２６の下側分割セグメント２６Ｂと前記第７のセグメント２７の中央側分割セグメント２７Ｃとによって囲まれたコーナー部に偏在して配置されることにより、左辺が前記下側分割セグメント２６Ｂの内側辺に近接して対向し、上辺が前記中央側分割セグメント２７Ｃの下辺に近接して対向し、右上がりに傾斜した斜辺が前記中央側分割セグメント２７Ｃの右辺と略同一面を形成している。
【００５３】
前記第９のセグメント２９は、第８のセグメント２８と略同一形状で点対称になるように、前記第３のセグメント２３の上側分割セグメント２３Ａと前記第７のセグメント２７の中央側分割セグメント２７Ｃとによって囲まれたコーナー部に偏在して配置されることにより、右辺が前記上側分割セグメント２３Ａの内側辺に近接して対向し、下辺が前記中央側分割セグメント２７Ｃの上辺に近接して対向し、左下がりに傾斜した斜辺が前記中央側分割セグメント２７Ｃの左辺と略同一面を形成している。このため、中央側分割セグメント２７Ｃ、第８のセグメント２８および第９のセグメント２９は、連続して傾斜した一本の線を形成している。
【００５４】
このような構成からなる表示装置４０のセグメント群ＳＧにおいては、上記した実施の形態と同様に、第１〜第６のセグメント２１〜２６の互いに対向する端部を外側に凸状に湾曲させて全体的に丸みをもたせているので、従来の角張った数字に較べて無機的、機械的な印象を軽減することができる。特に、数字の「２」は、第２のセグメント２２、第３のセグメント２３の上側分割セグメント２３Ａ、第９のセグメント２９、第７のセグメント２７の中央側分割セグメント２７Ｃ、第８のセグメント２８、第６のセグメント２６の下側分割セグメント２６Ｂおよび第５のセグメント２５によって表示されるため、「算用数字」、「アラビア数字」の書体に近い優美さを感じさせる表示とすることができる。
さらに、「日」の字形に配置された第１〜第７のセグメント２１〜２７を基調としているので、従来の「日」の字形セグメント表示と違和感がない。
また、上記した実施の形態と同様に第１のセグメント２１の上辺２１ｆ、第２のセグメント２２の左端側下面２２ｅ、第５のセグメント２５の上辺２５ｆ、第６のセグメント２６の下側分割セグメント２６Ｂの下辺２６Ｂｅをそれぞれ水平面に形成しているので、数字の「２」、「３」、「４」、「５」、「７」、「９」の書き始めおよび／もしくは書き終わりの見栄えが良好である。また、第２のセグメント２２の右辺２２ｈと第３のセグメント２３の上側分割セグメント２３Ａの上辺２３Ａｆを右上がりに傾斜した斜面に形成し、第４のセグメント２４の下辺２４ｅと第５のセグメント２５の右辺２５ｈを右下がりに傾斜した斜面に形成しているので、数字の「１」、「７」を綺麗に表示することができる。
【００５５】
なお、上記した参考例においては、角部となる部分に丸みをもたせるため、第１のセグメント２１の下端部外側面２１ａ、第２のセグメント２２の左端部外側面２２ａ、第３のセグメント２３の上端部および下端部の外側面２３ａ，２３ｂ、第４のセグメント２４の上端部および下端部の外側面２４ａ，２４ｂ、第５のセグメント２５の左端部外側面２５ａ、および第６のセグメント２６の上端部外側面２６ａを外側に凸状に湾曲した曲面に形成した例を示したが、第１〜第６のセグメント２１，２２，２３，２４，２５，２６の両端部外側面をそれぞれ外側に凸状に湾曲した曲面に形成してもよい。要は少なくともいずれか一方の端部を凸曲面に形成して数字に丸みをもたせるようにすればよい。
【００５６】
【発明の効果】
以上説明したように本発明に係る表示装置によれば、第８のセグメントを第６と第７のセグメントのコーナー部に偏在させて配置したので、数字の「２」の表示において違和感が少なく、より自然な書体とすることができる。
【００５８】
また、本発明は、第１と第２、第２と第３、第３と第４、第４と第５、第５と第６および第１と第６のセグメントの互いに近接して対向する端部のうちの少なくともいずれか一方の端部外側面をそれぞれ外側に凸状に湾曲した曲面に形成したので、セグメント群によって表示される数字が丸みを帯びてより自然な「算用数字」、「アラビア数字」の書体に近く、視認性、親しみ易さを向上させることができる。特に、数字の「２」は、「算用数字」、「アラビア数字」の書体に近い優美さを感じさせる表示を実現することができる。
また、「日」の字形に配置された第１〜第７のセグメントを基調としているので、従来の「日」の字形のセグメント表示と違和感もなく、汎用的な製品の表示装置として好適である。
【図面の簡単な説明】
【図１】  本発明に係る表示装置の一実施の形態を示す平面図である。
【図２】  表示装置の参考例を示す平面図である。
【図３】  本発明に係る表示装置の他の実施の形態を示す表示部の平面図である。
【図４】  数字の「１」〜「０」を表示した例を示す図である。
【図５】  温度と時刻を表示した例を示す図である。
【図６】  表示装置の他の参考例を示す表示部の平面図である。
【図７】  数字の「１」〜「０」を表示した例を示す図である。
【図８】  温度と時刻を表示した例を示す図である。
【図９】  従来の表示装置のセグメント群を示す平面図である。
【図１０】  従来の他の表示装置のセグメント群を示す平面図である。
【図１１】  従来のさらに他の表示装置のセグメント群を示す平面図である。
【図１２】従来のさらに他の表示装置のセグメント群を示す平面図である。
【符号の説明】
２１…第１のセグメント、２２…第２のセグメント、２３…第３のセグメント、２３Ａ…上側分割セグメント、２３Ｂ…下側分割セグメント、２４…第４のセグメント、２５…第５のセグメント、２６…第６のセグメント、２６Ａ…上側分割セグメント、２６Ｂ…下側分割セグメント、２７…第７のセグメント、２７Ａ…左側分割セグメント、２７Ｂ…右側分割セグメント、２７Ｃ…中央側分割セグメント、２８…第８のセグメント、２９…第９のセグメント。
【図１】
0003930137.tif 000002
【図２】
0003930137.tif 000003
【図３】
0003930137.tif 000004
【図４】
0003930137.tif 000005
【図５】
0003930137.tif 000006
【図６】
0003930137.tif 000007
【図７】
0003930137.tif 000008
【図８】
0003930137.tif 000009
【図９】
0003930137.tif 000010
【図１０】
0003930137.tif 000011
【図１１】
0003930137.tif 000012
【図１２】
0003930137.tif 000013